(57)【要約】  本発明は、体操のためのケトルベル型器具（１）であって、    ポリマー材料でできた単一の可塑性の層で形成され、内部空洞（１３）を画定する実質的に球形のボディ（１０）と、    ボディ（１０）の上部に固定された固いハンドル（２０）と、を備え、  内部空洞（１３）は、少なくとも１つの液体を含む充填材料（Ｌ）で満たされ、  充填材料は、内部空洞の体積の１０〜８０％を占有し、  ボディは、充填材料（Ｌ）を内部空洞（１３）に導入するための少なくとも１つの密封可能な口を備える、ケトルベル型器具に関する。
2021511905.tif 000002
【特許請求の範囲】
【請求項１】
体操のためのケトルベル型の器具（１）であって、
ポリマー材料でできた単一の可塑性の層で形成され、内部空洞（１３）を画定する実質的に球形のボディ（１０）と、
前記ボディ（１０）の上部に固定された固いハンドル（２０）と、
を備え、
前記内部空洞（１３）は、少なくとも１つの液体を含む充填材料（Ｌ）で満たされ、
前記充填材料は、前記内部空洞の体積の１０〜８０％を占有し、
前記ボディは、前記充填材料（Ｌ）を前記内部空洞（１３）に導入するための少なくとも１つの密封可能な口を備える、
器具（１）。
【請求項２】
前記ボディ（１０）は、使用中に、前記内部空洞（１３）内の前記充填材料の有無に関わらず、形状を実質的に球形に保つための構造を有する、
ことを特徴とする、
請求項１に記載の器具（１）。
【請求項３】
前記ボディ（１０）は、合成樹脂でできている、
ことを特徴とする、
請求項１又は２に記載の器具（１）。
【請求項４】
前記ボディ（１０）の前記層の厚さは、３ｍｍ〜７ｍｍの間に含まれる、
ことを特徴とする、
請求項１−３のうちいずれか１つに記載の器具（１）。
【請求項５】
前記ハンドル（２０）は、金属又は、熱可塑性若しくは熱硬化性のポリマーからできている、
ことを特徴とする、
請求項１−４のうちいずれか１つに記載の器具（１）。
【請求項６】
前記ハンドル（２０）は、握り部（２１）と、前記握り部（２１）から伸びる少なくとも１つの結合部（２２）とを備え、
前記ボディは、前記結合部（２２）を受容するのに適したシート（１４）を備える、
ことを特徴とする、
請求項１−５のうちいずれか１つに記載の器具（１）。
【請求項７】
前記シート（１４）は、前記ボディ（１０）の上部から延在して少なくとも前記結合部（２２）の長さを需要するのに適した管状要素（１５）を含む、
ことを特徴とする、
請求項６に記載の器具（１）。
【請求項８】
前記管状要素（１５）は、前記内部空洞（１３）と液体連結されており、前記充填材料を前記内部空洞（１３）に導入するための口としての役割を果たし、前記口は内部空洞（１３）を満たした後で密封される、
ことを特徴とする、
請求項７に記載の器具（１）。
【請求項９】
前記ハンドルは実質的にＵ字型であり、
前記握り部（２１）は、前記ボディ（１０）内のそれぞれのシートに内包された２つの結合部（２２）の端部から横に延在する実質的に直線形の棒を備える、
ことを特徴とする、
請求項６−８のうちいずれか１つに記載の器具（１）。
【請求項１０】
前記結合部（２２）は、前記管状要素（１５）に挿入されるピン（２２ａ）を備え、
前記ピン（２２ａ）は、境界縁（２３）により画定される、
ことを特徴とする、
請求項７−９のうちいずれか１つに記載の器具（１）。
【請求項１１】
前記充填材料は、前記液体中に散乱した固体粒子を含む、
ことを特徴とする、
請求項１−１０のうちいずれか１つに記載の器具（１）。
【請求項１２】
前記ボディ（１０）の材料は、少なくとも部分的に透明であり、その内部の前記充填材料の前記液体は、色付けされているか、又は不透明である、
ことを特徴とする、
請求項１−１１のうちいずれか１つに記載の器具（１）。
【請求項１３】
前記ボディは、空気を前記内部空洞（１３）に導入、又は前記内部空洞（１３）から除去するためのバルブ（１６）を備えて提供される、
請求項１−１２のうちいずれか１つに記載の器具（１）。
【発明の詳細な説明】
【技術分野】
【０００１】
本発明は、体操器具、特にケトルベル種の器具に関する。より詳細には、本発明は、器具の空洞を満たす液状、粒状、又は粉末状の充填材料で質量の多くが形成されるケトルベルに関する。
【背景技術】
【０００２】
一般にケトルベルとは、ハンドルがついた砲丸のような重い器具を指す。ケトルベルは１８世紀初頭頃のロシアに起源すると考えられている。ケトルベルにあたるロシア語の単語は「ギリ」と発音され、この重りを持ち上げる人が「ギレヴィク」と呼ばれる。本来ケトルベルは鋳鉄製で、現在でもその大半がこの製造法で製造されている。
【０００３】
従来のダンベルと比較したケトルベルの特徴は、質量中心が手から遠い位置にあることである。これにより、従来のダンベルでは不可能であったスイング運動が可能となる。
【０００４】
ケトルベルのスイング運動には複数の筋群が関与しており、ダンベルを持ち上げることに比べると、前述の器具を用いるトレーニングは、より効果的であり、より短い時間でよりよい結果をもたらし得ると考えられている。実際に、ケトルベルは質量の中心が振り子運動を行うため、バランスをとるためには、同じ条件における従来のダンベルと比較してより多くの微小筋肉の作用が必要となる。
【０００５】
これらの既知の器具の大部分では、全体が金属で作られているか、樹脂等の他の材料で作られているかに関わらず、器具の質量中心の位置は固定されている。
【０００６】
従って、体操の実行中、与えられた筋肉により発揮される力と同様に、身体の一部の位置又は速度の変化は、体操を行う者により知られているか、又はいずれにせよ予測可能である。
【０００７】
競技レベルと非競技レベルの両方におけるトレーニングの環境において、又はリハビリテーションについて、直接・間接に関わらず、アスリート又は患者の身体に可変又は不安定な負荷を与える器具又は装置を使用できることは有利である。
【０００８】
実際に、運動を行う者にとって完全には予測できない、又は全く予測不可能な外部刺激（いわゆる運動干渉）が身体にかかるトレーニングは、従来のトレーニングと比較して、筋肉の反応能力をはるかに大きく発達させ、増大させられることが知られている。
【０００９】
従来の、特にモノリス様の金属ボディで形成されたケトルベルは、十分な注意を払っていないか、又は特定の専門知識を有しない人が扱うと、危険となり得る。実際、これらの物体の質量は１０ｋｇを超える場合もあり、運動中は高速かつ広い範囲にわたる動作を伴うため、使用者が握りを緩めてしまった場合には、付近の人又は物（使用者を含む）に深刻な損害を与える可能性がある。
【００１０】
また、金属製のボディにゴム等の柔らかい材料をコーティングしたケトルベルも市販されている。これらは、器具が置かれた面に傷又は跡がつくのを防ぎ、接触による騒音を軽減するためのものである。しかしながら、暴力的でないとしても、人や物に衝突した場合には器具はやはり危険物となり得る。
【発明の概要】
【発明が解決しようとする課題】
【００１１】
本発明の目的は、先行技術の上記の問題点を解消したケトルベル型器具を提供することにある。
【００１２】
特に、本発明の目的は、事前予測不可能な刺激（すなわち力）によって乱された体操を行うことができるケトルベルを提供することにある。
【００１３】
特に、本発明の目的は、使用中に、反応をシミュレートするために、体操を行う人のバランスを少なくとも部分的に妨害可能な器具を提供することにある。
【００１４】
本発明の別の目的は、既知の器具に比較して、使用者及び周辺の人のいずれにとっても安全性が高いケトルベル型器具を提供することにある。
【００１５】
本発明のさらなる目的は、快適に、正確に、かつ安全に取り扱うことができるケトルベル型器具を提供することにある。
【課題を解決するための手段】
【００１６】
これらの目的及び他の目的は、内部空洞を画定する実質的に球形の、液状の少なくとも１つの充填材料を受容して収容するのに適したボディと、ボディの上部に固定された固いハンドルとを備える体操用ケトルベル型装置により達成される。
【００１７】
本発明に係る器具は、充填材料で部分的にのみ充填されることが考えられる。充填材料により占有される内部空洞の体積は、一般には１０〜８０％の間、より好ましくは、３０〜８０％の間であり得る。ここで、内部空洞の体積の一部は、空気又は別の気体により占有される。
【００１８】
人がケトルベルを動かす体操の実行中、充填材料は内部空洞の中を、運動者により実行される動作の結果として、異なる速度及び加速度で連続的に移動し得る。
【００１９】
これにより、充填材料の移動は、装置の質量中心の予測不可能かつ連続的な変動を発生させる。
【００２０】
このためには、例えば砂又は細かい粒子状の他の材料といった粒子状又は粉末状の材料よりも、液体を用いるのが好ましいが、それらも除外はされない。
【００２１】
本発明の一態様によると、ボディは、ポリマー材料からなる単一の可塑性の層で形成される。好ましくは、ボディは一体となっている。
【００２２】
より詳細には、器具のボディは可塑性である（即ち、完全に剛体ではない）が、使用中に、内部の充填材料の有無に関わらず、形状を実質的に球形に保つための構造を有する。しかしながら、ボディはその外面に衝撃、圧縮又は他の外力を受けると、わずかな弾性変形を維持することができる。
【００２３】
これにより、器具は一般に高速かつ広く動かされるため、金属又はいずれにせよ完全な剛体で形成された既知の装置と比べると、誤って他人又は使用者の体の一部にぶつかった場合の危険性が低い。これは特に、例えば、限られた空間において、複数の人が互いに比較的近くでトレーニングするグループのトレーニングに器具が用いられる場合に有用である。
【００２４】
さらに、これらの器具は体操の終了時に地面に放り出されることが多いため、この可塑性のボディはこの状況で発生される騒音と、器具が置かれる床が損傷する危険性との両方を低減させることができる。
【００２５】
本発明によれば、器具のハンドルは代替的に剛体であり得る。従って、ハンドルは、器具の使用中に変形しないように設計されているか、又はいずれにせよ体操を行う人が気づかない程度の限られた変形を維持するように設計されている。
【００２６】
これにより、ボディの限られた変形性と相まって、例えば金属製の従来の器具に匹敵する、器具の操作性及び動作の精度を保証できる。
【００２７】
さらに、ボディの単層構造により、器具の製造コストが削減できる。例えば、ボディは成形又は類似の工程により単一ステップで製造できるため、組み立て時間が最小限に抑えられる。さらに、このボディは実質的に単一ブロック構造であるため、連続的な外力又は衝撃を受けた場合でも、複数の部品を接合して作られた従来の器具と比較して破損しにくい。
【００２８】
本発明によると、ハンドルは、片手又は両手で握ることが可能な握り部と、ボディにハンドルを固定する少なくとも１つの連結部とを備え得る。このために、ボディは、連結部を受容するように適合された少なくとも１つのシートを備える。
【００２９】
本発明の一態様によると、シートは、ボディの上部から延在する管状要素を含み、この管状要素は、連結部の長さを受容する。
【００３０】
前記管状要素は、ボディの内部空洞と流体連結している。この要素は、器具の製造中に充填材料を導入するための口として機能する。
【００３１】
実際に、本発明の一態様によると、器具は、内部に所定量の充填材料を封入して提供される。従って、器具は、製造者により内部に導入された充填材料の量に従って所定の重量を有する。
【００３２】
上述の口は、充填材料が導入されると、ハンドルの結合部により閉じられ、密封される。好ましくは、結合部及び管状要素の間の結合は、２つの部品間の機械的気密性と水密性の両方を保証するために、わずかな干渉（ｉｎｔｅｒｆｅｒｅｎｃｅ）を有する。器具が受ける外力を考慮して、上述の部品は、空洞の完全な水密性を保証するために、シリコン等の密封接着剤で接合されていることが好ましい。
【００３３】
ハンドルの結合部は、その長さが管状要素の内部に延在し、使用中に最も外力を受ける部分を強固にするのを補助し、動きの精度を向上させる。
【００３４】
本発明の一態様によると、ボディの層の厚さは用いられる材料によって異なり、上述の形状安定性の特性を得るために較正される。典型的には、ケーシングの層の厚さは２ｍｍ〜１０ｍｍの間、好ましくは３ｍｍ〜７ｍｍの間、さらに好ましくは３〜６ｍｍの間に含まれる。
【００３５】
上述の層の材料は、空洞内に液体の充填材料を保持できるように、液体に対して非透過性である。好適な一態様によると、ボディは合成ゴムでできている。代替的に、同様の機械的特性を有する他の高分子材料、又は天然ゴムが用いられ得る。
【００３６】
代替的に、ボディは、ポリ塩化ビニル、ポリエチレン、ポリエチレンテレフタレート、ポリプロピレン、又はポリウレタン等の他の高分子材料で作られ得る。
【００３７】
好適な変形によると、ボディの材料は透明又は部分的に透明であり、その内部の充填材料が見えるようになっている。
【００３８】
オプションで、ボディは、安定した基底を画定するように、下部が平坦になっている。
【００３９】
別の変形によると、ボディは、溶接、熱密封、又は同等の技術により互いに接合された複数の部品を含み得る。
【００４０】
本発明の一態様によると、ハンドルは、金属又は、好ましくはプラスチック材料で作られ得る。好ましい材料は、ポリエチレン（ＰＥ）、ポリ塩化ビニル（ＰＶＣ）、若しくはポリプロピレン（ＰＰ）等の熱可塑性ポリマー、又は、熱硬化性ポリマーであり得る。
【００４１】
典型的には、ハンドルは固体の単一ブロック要素でできており、これによりプラスチック材料を用いる場合でも十分な剛性を提供できる。
【００４２】
本発明の好適な一態様によると、ハンドルは実質的にＵ字型である。この変形例によると、握り部は、握り部に対して横方向又は実質的に垂直に配置された２つの結合部の端部から伸びる実質的に直線形の棒を備える。一方でボディには、２つの連結部を受容するのに適した２つの管状のシートが設けられている。
【００４３】
本発明の一態様によると、結合部は、ボディのシート内に受容されるのに適した、境界縁により画定されたピンを備える。このピンは、一般に、結合部の残りの部分よりも小さい断面を有する。
【００４４】
境界要素により、ハンドルがボディに精密に固定され、空洞の水密性を高めることができる。
【００４５】
本発明の一態様によると、充填材料の液体は、オプションで揮発を制限するための添加剤と混合された水からなる。
【００４６】
好適な変形によると、液体に加えて、充填材料は、砂又は金属球のような、水よりも高い比重を有する固体粒子を含み得る。このような粒子は、比重の差により、液体と別個に空洞内を移動し、器具に異なる慣性力を発生させる。これらの粒子はまた、同じ寸法、即ち同じ空洞体積でも器具全体の質量を増加させることを可能にする。
【００４７】
ボディが少なくとも部分的に透明である場合、液体は、空洞内でより見やすくなるように、染料と混合したり、不透明にしたりすることができる。異なる装置の異なる重量値を示すために、異なる色を用いてもよい。
【００４８】
あり得る変形によると、ボディは、空気別の気体を空洞に導入又は空洞から除去するためのバルブを備え得る。これにより内圧を増減させてボディの剛性を変化させることができる。
【００４９】
本発明のさらなる特徴及び詳細は、非限定的な例により提供させる以下の説明及び添付の図面から、よりよく理解される。
【図面の簡単な説明】
【００５０】
【図１】本発明に係る体操のためのケトルベル型器具の前面図
【図２】図１の器具の側面図
【図３】ボディとハンドルを分離した器具の断面図
【図４】図１の器具の断面図
【発明を実施するための形態】
【００５１】
添付の図面を参照して、数字１は全体として体操のためのケトルベル型器具を示す。この器具は、ボディ１０と、上部でボディに固定されたハンドル２０とを備える。ボディ１０は、好ましくは球形又は実質的に球形である。図示の例では、ボディ１０の上部には、運動中に器具を回転させたり振ったりする時の手の動きのためのより多くの空間を残すための平坦領域１１を有する。
【００５２】
オプションで、ボディ１０の下部は、安定した基底部を画定するように、平坦であり得る。
【００５３】
ボディ１０は、内部空洞１３を画定する中空ケーシング１２を含む。空洞１３は、部分的に液体Ｌで充填され、オプションで砂又は金属粒子等の固体粒子で充填される。代替的に、空洞１３は、上記のいずれかのような粒子状又は粉末状の固体材料のみで充填され得る。
【００５４】
空洞は、好ましくは３０％〜８０％の間、より好ましくは４０％〜６０％の間に含まれる体積割合で、充填材料により占有されている。
【００５５】
本発明によると、空洞１３には、所定量の液体Ｌが充填され、オプションで固体粒子が充填され、器具の重量が所定かつ安定するように密封されている。
【００５６】
ボディ１０は好ましくは合成ゴムでできており、成形又は同等の技術により製造される。ボディ１０のケーシング１２の厚さは、３ｍｍ〜６ｍｍの間に含まれ、好ましくは約５ｍｍであり得る。このように製造されたボディは、使用中に人や物との間の衝撃を吸収するために、わずかに可塑性又は降伏性を有するが、同時に、実質的にその形状のまま維持することができ、即ち、使用中に崩壊したり過度に変形したりすることがないようにできる。
【００５７】
ボディ１０の上部の平坦領域１には、ハンドル２０を固定するための２つのシート１４が形成されている。シート１４は、実質的に平行な方向、わずかに広がる方向、又はわずかに狭まる方向に沿って上方向に延在する管状要素１５を備える。管状要素１５は、好ましくは、ボディ１０のケーシングと結合されており、それと一体として製造される。
【００５８】
好ましくは、管状要素１５の少なくとも１つ又は両方は、空洞１３と連結しており、充填材料を空洞１３に導入するための口として使用され得る。
【００５９】
ハンドル２０は、片手又は両手で握ることが可能な握り部２１と、握り部２１の端部から横方向に延在する２つの連結部２２を含む。図示された例では、連結部はわずかに広がっているが、同時に、平行であるか又は狭まり得る。
【００６０】
従って、図３に示すように、ハンドルは実質的に、連結部２２が握り部２１に結合された逆Ｕ字型を有している。
【００６１】
各連結部２２は、境界縁２３により画定されたピン２２ａを含む。ピン２２ａは、管状要素１５内に完全に挿入される結合部の一部である。このようにして、境界縁２３は、管状要素１５の上縁１５ａに安置されている。
【００６２】
管状要素１５の少なくとも内側の長さと、結合部２２のピン２２ａは、好ましくは、実質的に円筒状の形状を有する。その部分における管状要素１５の内径は、部分２２ａの径よりもわずかに小さく、これにより、要素は特定の干渉（ｉｎｔｅｒｆｅｒｅｎｃｅ）と結合されて、安定した固定及び所定の水密性の両方を保証する。
【００６３】
好ましくは、特に空洞内に液体がある場合には、この固定は、空洞１３の水密性を保証するために、シリコン等の密封剤により補助される。
【００６４】
ハンドルは、器具の使用中に曲がらないように寸法が決められ、これにより高い感度及び動作精度が保証されている。
【００６５】
好適な変形によると、ハンドルはプラスチック材料、例えばポリ塩化ビニル又はポリエチレン等の熱可塑性ポリマーでできている。
【００６６】
結合部２２のピン２２ａの長さは、好ましくは、管状要素１５の長さよりも大きい。従って、ピン２２ａは、空洞内に延在し、少なくとも一部分において、ケーシング１２の内壁に対抗し続け、ボディ１０及びハンドル２０の間の接続の剛性を増加させる。
【００６７】
あり得る変形によると、ボディ１０は、空気を空洞１３内に導入又は空洞１３内から除去するためのバルブ１６を備え得る。バルブ１６は、ボディ１０の上部、例えば平坦領域１１内、若しくはケーシング１２の任意の他の点に配置され得る。バルブを介した空気の導入又は除去は、内圧の変化を可能にし、ケーシング１２の張りを増減させ、即ち剛性を増減させる。
【図１】
2021511905.tif 000003
【図２】
2021511905.tif 000004
【図３】
2021511905.tif 000005
【図４】
2021511905.tif 000006
【国際調査報告】
2021511905.tif 000007
2021511905.tif 000008
2021511905.tif 000009